(57)【特許請求の範囲】
【請求項１】
六面体で構成された段ボール箱において、
少なくとも対向する二側面には、二本の互いに平行な開封用弱め線が形成されており、
前記二側面のうち、少なくとも一側面には一対の把持用穿孔が形成され、
前記把持用穿孔が形成された側面の裏側には補強用テープが貼合され、
前記補強用テープは、二本の前記開封用弱め線の巾よりも広巾で、且つ二本の前記開封用弱め線を被覆する位置に貼合され、
前記補強用テープの巾方向の引張強度（Ｔ1）に対する長手方向の引張強度（Ｔ2）の比は、３以上であり、
前記補強用テープの素材は、長手方向に一軸延伸した合成樹脂製フィルムと、円網抄紙機を使用して製造された、パルプが相対的に長手方向に配向している紙との積層体である
ことを特徴とする段ボール箱。
【請求項２】
対向する上面Ａと下面Ｂ，対向する側面Ｃと側面Ｄ，対向する側面Ｅと側面Ｆの六面を持つ段ボール箱を組み立てることのできる段ボールシートにおいて、
前記段ボールシートは、上面Ａ，下面Ｂ，側面Ｃ及び側面Ｄを形成するための長方形部位と、該長方形部位の対向する二辺に連設されると共に、前記上面Ａ，前記下面Ｂ，前記側面Ｃ及び前記側面Ｄの各々に独立して連設された側面Ｅ及び側面Ｆを形成するための八個の折り曲げ部位とからなり、
前記側面Ｃ及び前記側面Ｃに連設された二個の前記折り曲げ部位と、前記側面Ｄ及び前記側面Ｄに連設された二個の前記折り曲げ部位には、二本の互いに平行な弱め線が連続して形成されており、
前記側面Ｃ又は前記側面Ｄには、前記二本の弱め線を被覆する状態で補強用テープが貼合されていると共に、一対の穿孔が形成されており、
前記補強用テープの巾方向の引張強度（Ｔ1）に対する長手方向の引張強度（Ｔ2）の比は、３以上であり、
前記補強用テープの素材は、長手方向に一軸延伸した合成樹脂製フィルムと、円網抄紙機を使用して製造された、パルプが相対的に長手方向に配向している紙との積層体である
ことを特徴とする段ボールシート。
【請求項３】
巾方向の引張強度（Ｔ1）に対する長手方向の引張強度（Ｔ2）の比が３以上であり、その素材が長手方向に一軸延伸した合成樹脂製フィルムと、円網抄紙機を使用して製造された、パルプが相対的に長手方向に配向している紙との積層体である補強用テープの片面に、感熱性接着剤、感圧性接着剤及び再湿性接着剤よりなる群から選ばれた接着剤が塗布されてなることを特徴とする、請求項１記載の段ボール箱用裏張りテープ。
【請求項４】
接着剤として、感熱性接着剤を用いる請求項３記載の段ボール箱用裏張りテープ。
【請求項５】
平坦な表紙，接着剤溶液が塗布された波形の中芯紙，平坦な裏紙の順に積層する積層工程と、
前記接着剤溶液を乾燥させ、前記表紙及び前記裏紙を前記中芯紙に貼り合わせる乾燥工程と、
前記裏紙の所定の位置に請求項３記載の裏張りテープを接着して段ボール紙を得る接着工程と、
前記段ボール紙の所定の位置に二本の互いに平行な弱め線を形成する工程と、
前記段ボール紙の所定の位置に一対の穿孔を形成する工程と、
前記段ボール紙を所定の形状に裁断する工程と、
を具備することを特徴とする段ボールシートの製造方法。
【請求項６】
平坦な表紙，接着剤溶液が塗布された波形の中芯紙，平坦な裏紙の順に積層する積層工程と、
前記接着剤溶液を乾燥させ、前記表紙及び前記裏紙を前記中芯紙に貼り合わせる乾燥工程と、
前記乾燥工程で前記裏紙に与えられた余熱が残存しているうちに、請求項４記載の裏張りテープを前記裏紙に、前記裏張りテープの感熱性接着剤が前記裏紙に当接するようにして積層し、この際、前記感熱性接着剤が、前記裏紙に残存している余熱によって軟化又は溶融せしめられることによって、前記裏張りテープを前記裏紙に接着して段ボール紙を得る接着工程と、
前記段ボール紙の所定の位置に二本の互いに平行な弱め線を形成する工程と、
前記段ボール紙の所定の位置に一対の穿孔を形成する工程と、
前記段ボール紙を所定の形状に裁断する工程と、
を具備することを特徴とする段ボールシートの製造方法。
【請求項７】
請求項５又は６に係る方法で得られた段ボールシートを六面体形状に組み立てる段ボール箱の製造方法。
【発明の詳細な説明】
【０００１】
【産業上の利用分野】
本発明は、主として缶ビールを包装・搬送するために使用する段ボール箱及びその製造方法に関するものである。
【０００２】
【従来の技術】
従来より、缶ビールを包装・搬送するための段ボール箱として、図１に示す如き、六面体形状の段ボール箱が用いられている。この段ボール箱の二〜四側面の中央付近には、二本の弱め線１，１が互いに平行に設けられている。二本の弱め線１，１の任意の一箇所には、二本の弱め線１，１間に切り込み２が設けられている。そして、この切り込み２に指を挿入して、切り込み２の端縁を把持して、弱め線１方向に引き裂き、二本の弱め線１，１間の帯片を除去すれば、この段ボール箱を開封することができる。
【０００３】
開封した後は、段ボール箱の上部３ａを取り去り、下部３ｂはそのままにして、スーパー等の店頭に置いて、缶ビールの販売に供するのである。そして、段ボール箱の下部３ｂに収納されている缶ビールを、最終消費者が所望する本数だけ取り出して、購入していくのである。しかし、最終消費者によっては、段ボール箱に包装されている全部の本数の缶ビールを所望する場合がある。即ち、段ボール箱には、一般的に２４本の缶ビールが収納・包装されており、この２４本全部の缶ビールを最終消費者が購入する場合がある。この場合には、段ボール箱を開封する必要もなく、段ボール箱ごと販売すればよいことになる。従って、最終消費者は、封をした状態の段ボール箱を両手で抱えて持ち運びすることになり、持ち運びが不便であるという欠点があった。
【０００４】
一方、主として外国製缶ビールにおいては、最終消費者が段ボール箱ごと缶ビールを購入しやすいように、段ボール箱の一側面に、一対の把持用穿孔４を設けたものが用いられている（図２）。この段ボール箱においては、把持用穿孔４に、親指とその他の指を入れて握れば、段ボール箱を片手で提げて持ち運びができ、非常に便利である。なお、把持用穿孔４が設けられた側面の裏側には、段ボール箱を片手で提げた場合、この側面が破れないように、厚手の板紙が貼合されている。しかしながら、把持用穿孔４が設けられた段ボール箱には、図１に示したような弱め線１，１が設けられておらず、段ボール箱の下部３ｂに缶ビールが収納された状態で、最終消費者が所望する本数だけを販売するということができなかった。
【０００５】
このため、段ボール箱に、把持用穿孔４を設けると共に弱め線１，１をも設けることが考えられる。このようにすると、段ボール箱ごと缶ビールを販売する場合には、最終消費者が片手で提げて持ち運びすることができ、また、段ボール箱の弱め線１，１を開封することによって、１本及至は数本の最終消費者が所望する本数の缶ビールを販売することもできるのである。しかしながら、把持用穿孔４を設けた段ボール箱においては、前記したように、把持用穿孔４が設けられた側面を形成する段ボール紙に補強用板紙が貼合されている。この補強用板紙は、把持用穿孔４近辺の段ボール紙の強度を向上させ、把持用穿孔４を把持して段ボール箱を提げる場合、把持用穿孔４近辺の段ボール紙が破れるのを防止するためのものである。従って、このような補強用板紙が段ボール紙に貼合されていると、段ボール紙のみに弱め線を設けた場合は勿論、補強用板紙と段ボール紙とに弱め線を設けた場合にも、弱め線によって段ボール箱を容易に開封することができないのである。
【０００６】
【発明が解決しようとする課題】
そこで、本発明は、補強用板紙に代えて、長手方向には引き裂きやすいけれども、段ボール箱を提げたときに負荷される力に対しては高強力を示す特殊な補強用テープを用いることによって、弱め線で開封することも、把持用穿孔によって片手で提げることも可能な段ボール箱を提供しようというものである。
【０００７】
【課題を解決するための手段】
即ち、本発明は、六面体で構成された段ボール箱において、少なくとも対向する二側面には、二本の互いに平行な開封用弱め線が形成されており、前記二側面のうち、少なくとも一側面には一対の把持用穿孔が形成され、前記把持用穿孔が形成された側面の裏側には補強用テープが貼合され、前記補強用テープは、二本の前記開封用弱め線の巾よりも広巾で、且つ二本の前記開封用弱め線を被覆する位置に貼合され、前記補強用テープの巾方向の引張強度（Ｔ1）に対する長手方向の引張強度（Ｔ2）の比は、３以上であり、前記補強用テープの素材は、長手方向に一軸延伸した合成樹脂製フィルムと、円網抄紙機を使用して製造された、パルプが相対的に長手方向に配向している紙との積層体であることを特徴とする段ボール箱に関するものである。また、本発明は、このような段ボール箱を好適に組み立てることのできる段ボールシートに関するものである。また、本発明は、このような段ボール箱又は段ボールシートを製造する際に好適に使用することのできる裏張りテープに関するものである。更に、本発明は、このような段ボール箱又は段ボールシートを好適に製造しうる方法に関するものである。
【０００８】
まず、本発明に係る段ボール箱又は段ボールシートを製造する際に使用する裏張りテープ５について説明する。裏張りテープ５は、補強用テープ６と、この片面に塗布された接着剤７とよりなるものである。補強用テープ６は、巾方向の引張強度（Ｔ1）に対する長手方向の引張強度（Ｔ2）の比が３以上のものである。即ち、巾方向の引張強度（Ｔ1）がＸｋｇであるとき、長手方向の引張強度（Ｔ2）が３Ｘｋｇ以上ということである。特に、巾方向の引張強度（Ｔ1）に対する長手方向の引張強度（Ｔ2）の比は、５以上が好ましく、６以上が最も好ましい。補強用テープ６の長手方向の引張強度（Ｔ2）は、引張試験機を用いて、一定巾のテープの両端を一対のチャックでつかみ、テープの長手方向に一対のチャックを相対的に逆に移動させて、テープが破断するときの強度を読み取ることによって測定されるものである。この際、チャックでつかまれるテープの巾の長さは、現実に使用する際の補強用テープ６の巾である。一般的に、補強用テープ６の巾は３０ｍｍ以上であるため、この３０ｍｍ以上巾を持つテープの長手方向の引張強度が引張試験機によって測定されるのである。一方、巾方向の引張強度（Ｔ1）は、切断したテープの両側端を一対のチャックでつかみ、テープの巾方向に一対のチャックを相対的に逆に移動させて、テープが破断するときの強度を読み取ることによって測定されるものである。この際、チャックでつかまれるテープの側端の長さは、現実に使用する際の補強用テープ６の長さではなく、補強用テープ６の巾と同一長さに切断されて測定される。なお、引張強度（Ｔ1）及び（Ｔ2）の測定の際における、一対のチャックの相対的移動速度（引張速度）は３００ｍｍ／分で測定したものである。
【０００９】
補強用テープ６の長手方向の引張強度（Ｔ2）の具体的数値は、缶ビール等が包装された段ボール箱の重量によって決定されるものである。従って、引張強度（Ｔ2）の具体的数値は任意であるが、一般的に２０ｋｇ以上、好ましくは２５ｋｇ以上、最も好ましくは３０ｋｇ以上であるのがよい。補強用テープ６の長手方向の引張強度（Ｔ2）が２０ｋｇ未満であると、補強用テープ６を貼合した段ボール紙の箇所が十分に補強されない傾向となり、缶ビール入り段ボール箱を片手で提げたとき把持用穿孔が設けられた箇所近辺が破断する恐れがある。なお、缶ビール入りの段ボール箱ではなく、他の重量の軽い商品の入った段ボール箱に、この補強用テープ６を適用する場合には、引張強度（Ｔ2）をもっと低くしても差し支えないことは勿論である。一方、補強用テープ５の巾方向の引張強度（Ｔ1）は、Ｔ2の１／３以下の強度であれば任意であり、一般的に１〜４ｋｇ程度である。
【００１０】
補強用テープ６の素材としては、上記したように（Ｔ2／Ｔ1）≧３である材料であって、長手方向に一軸延伸した合成樹脂製フィルムとパルプが相対的に長手方向に配向している紙との積層体を使用する。長手方向に一軸延伸した合成樹脂製フィルムというのは、例えばポリエチレンフィルム，ポリプロピレンフィルム，ポリエステルフィルム，ポリアミドフィルム等の合成樹脂製フィルムを、長手方向に延伸したものである。長手方向に延伸すると、合成樹脂製フィルムを構成している高分子鎖が長手方向に配列し、長手方向は高強度であるにも拘らず、巾方向は低強度である合成樹脂製フィルムが得られるのである。従って、このような長手方向に一軸延伸した合成樹脂製フィルムは、巾方向に低強度であるため、長手方向に容易に引き裂くことができる。しかしながら、長手方向には高強度であるため、巾方向に引き裂くことは困難である。
【００１１】
また、紙として、パルプが相対的に長手方向に配向している紙を使用する。紙は、補強用テープ６に再湿性接着剤等の接着剤７を塗布しやすくなる等の理由によって、採用されるものである。この場合、紙としては、一般的に３０〜１００ｇ／ｍ2程度のものが使用されるが、これに限られず任意のものを採用すればよい。なお、接着剤として感熱性接着剤又は感圧性接着剤を使用する場合には、紙面に接着剤が塗布されるとは限らず、合成樹脂製フィルム面に接着剤を塗布してもよい。特に、合成樹脂製フィルム面に接着剤を塗布した場合には、紙面が段ボール箱の裏面に露出した状態になるので、裏面全体が紙で構成された如くになり、違和感が少なくなるので好ましい。このような紙は、円網抄紙機を使用して容易に製造しうるものであり、長手方向には高強度で巾方向には低強度のものである。このような紙は、補強用テープ６に各種接着剤７を塗布しやすくする、及び補強用テープ６の長手方向の強度をより向上させる等の理由によって採用されるものである。
【００１２】
また、長手方向に平行に配置された糸条を合成樹脂製フィルムと紙とで挟んだ積層体を、補強用テープ６の素材として用いることも可能である。この素材は、長手方向に平行に配置された糸条によって、長手方向の引張強度を高くしたものである。なお、この場合においても、長手方向に一軸延伸した合成樹脂製フィルムと、長手方向にパルプが配向している紙を採用することは勿論である。合成樹脂製フィルムと紙とは、糸条を挟んだ状態で、感熱性接着剤，感圧性接着剤又は再湿性接着剤等の任意の接着剤で接着される。この際に使用する接着剤としては、例えば合成樹脂製フィルムとしてポリプロピレンフィルムを使用した場合には、ポリプロピレン系感熱性接着剤を使用するのが好ましく、またポリエチレンフィルムを使用した場合には、ポリエチレン系感熱性接着剤を使用するのが好ましい。これは、合成樹脂製フィルム及び接着剤として、同種のものを使用した方が、強固な接着力を発現しうるからである。なお、糸条は、補強用テープ６中に、一般的に２〜１０本程度用いられる。
【００１３】
補強用テープ６の片面には、感熱性接着剤，感圧性接着剤及び再湿性接着剤よりなる群から選ばれた接着剤７が塗布されている。感熱性接着剤は、いわゆるホットメルト接着剤とも呼ばれるものであり、融点及至は軟化点が１００℃以下のものが好ましく、特に８０℃以下のものがより好ましく、更に６０℃以下のものが最も好ましい。感熱性接着剤の融点及至は軟化点が１００℃を超えると、後述する余熱利用によって補強用テープ６の貼合が困難になる傾向が生じる。感熱性接着剤を構成する素材としては、ポリエチレン，ポリプロピレン，ポリエステル，エチレン−酢酸ビニル共重合体，エチレン−エチルアクリル酸共重合体，エチレン−メチルアクリル酸共重合体，エチレン−メチルメタアクリル酸共重合体等が単独で又は混合して用いられる。また、これらの材料にテルペン樹脂等を混合したものも用いられる。感圧性接着剤は、いわゆる粘着剤と呼ばれるものであり、天然ゴム系やアクリル系等の合成ゴム系のものが用いられる。また、再湿性接着剤は、水を付与することにより粘着力を呈するものであり、澱粉糊，ニカワ，アラビアゴム，ポリビニルアルコール系接着剤，ポリアクリル酸ソーダ系接着剤又はアクリルアマイド系接着剤等を用いることができる。これらの接着剤７は、補強用テープ６の片面に任意の塗布量で塗布される。
【００１４】
この裏張りテープ５を使用して、段ボールシート及び段ボール箱を製造する方法を説明すると、以下のとおりである。まず、平坦な表紙１０と、波形の中芯紙１１と、平坦な裏紙１２を、それぞれロールから繰り出す。表紙１０の表面（中芯紙１１と接触しない面）には、所望の印刷が施されていてもよいし、また無印刷のものであってもよい。波形の中芯紙１１の山部表面には接着剤溶液１３が塗布される。接着剤溶液１３としては、任意のものが使用され、例えばケイ酸ソーダ等を主成分とする水ガラス等の無機系接着剤溶液、澱粉糊等を水に溶解させた天然接着剤溶液、ポリビニルアルコール等を水に溶解させた合成接着剤溶液等が使用される。その後、表紙１０と、接着剤溶液１３が山部表面に塗布された中芯紙１１と、裏紙１２とが順に積層され、プレッシャーロール１４，１４で押圧された後、乾燥機１５に導入される。乾燥機１５中で、中芯紙１１の山部表面に塗布されている接着剤溶液１３が乾燥し（即ち、接着剤溶液１３中の水分が蒸発し）、中芯紙１１の山部表面と表紙１０、及び中芯紙１１の山部表面と裏紙１２とが貼り合わされる。
【００１５】
乾燥機１５から出た積層体１６の裏紙１２には、裏張りテープ５が所定の位置に接着される。なお、ここで言う所定の位置とは、一対の穿孔が設けられる側面のことである。裏張りテープ５を接着するには、裏張りテープ５の片面に設けられた接着剤７が裏紙１２に当接するようにして積層し、押圧ロール１５で押圧すればよい。接着剤７として、感圧性接着剤を使用した場合には、単に押圧ロール１５で押圧することによって、容易に接着することができる。また、感熱性接着剤を使用した場合には、押圧ロール１５を加熱しておき、この熱を感熱性接着剤に与えて接着力を発現させれば、容易に接着することができる。更に、再湿性接着剤を使用した場合には、押圧ロール１５で押圧する前に、スプレーや水付けローラー等（図示せず）によって水分を付与すれば、容易に接着することができる。なお、裏張りテープ５を使用せずに、接着剤７が塗布されていない補強用テープ６のみを使用し、別個に接着剤を補強用テープ６に塗布した後に、これを押圧ロール１５に導入すれば、補強用テープ６を裏紙１２に接着することもできる。
【００１６】
裏張りテープ５として、感熱性接着剤が塗布されてなるものを用いる場合には、次に示すような有利な接着方法を採用することができる。即ち、乾燥工程から出た積層体１６には、乾燥工程で付与された熱が余熱として残存している。従って、裏紙１２にも余熱が残存している。この余熱を利用して、裏張りテープ５に設けられている感熱性接着剤を軟化又は溶融させて、接着力を発現させることができる。即ち、裏張りテープ５の感熱性接着剤が裏紙１２と当接するようにして、裏張りテープ５と裏紙１２とを積層すれば、裏紙１２に残存している余熱が感熱性接着剤に与えられ、感熱性接着剤が軟化又は溶融する。そして、この接着力によって、裏張りテープ５と裏紙１２とが接着するのである。この場合には、押圧ロール１５を加熱する必要はなく、単に裏張りテープ５と裏紙１２とが密着するように、押圧すればよいだけである。勿論、余熱のみによっては、感熱性接着剤が十分に軟化又は溶融しない場合には、押圧ロール１５を加熱しておき、不足分の熱を感熱性接着剤に与えてもよい。
【００１７】
以上のようにして、積層体１６の所定の位置に裏張りテープ５が貼着された段ボール紙１７が得られる。そして、この段ボール紙１７の所定の位置に、二本の互いに平行な弱め線を形成する。弱め線としては、一般的にミシン目が採用されるが、その他、溝を穿つ等の他の手段で弱め線を形成してもよい。弱め線を形成する位置は、少なくとも、裏張りテープ５が貼着された側面とこの側面に対向する側面である。また、所望により、他の二側面にも弱め線を形成しても差し支えない。その後、裏張りテープ５が貼着された側面の所定の位置に、一対の穿孔を打ち抜く。穿孔の形状としては、円形，楕円形，トラック形状等の任意の形状が採用される。そして、段ボール箱１９を組み立てることのできる所定の形状に裁断することによって段ボールシート１８を得ることができる。
【００１８】
段ボールシート１８の構成を図６に基づいて説明すれば、以下のとおりである。段ボールシート１８は、段ボール箱１９の展開図になっている。段ボール箱１９は六面体形状であり、対向する上面Ａ及び下面Ｂと、対向する側面Ｃ及び側面Ｄと、対向する側面Ｅ及び側面Ｆとよりなるものである。この展開図の一例としては、図６に示したように、上面Ａ，下面Ｂ，側面Ｃ，側面Ｄを形成するための長方形部位（並び方としては、側面Ｃ，上面Ａ，側面Ｄ，下面Ｂの順に並んでおり、側面Ｃの他の端縁には糊代Ｇが設けられている。）と、この長方形部位の対向する二辺に連設されている八個の折り曲げ部位とからなるものである。八個の折り曲げ部位は、側面Ｃの対向する二辺に連設されている折り曲げ部位ＥC及びＦCの二個、上面Ａの対向する二辺に連設されている折り曲げ部位ＥA及びＦAの二個、側面Ｄの対向する二辺に連設されている折り曲げ部位ＥD及びＦDの二個、下面Ｂの対向する二辺に連設されている折り曲げ部位ＥB及びＦBの二個よりなる。この段ボールシート１８を組み立てれば、展開図でＡ，Ｂ，Ｃ，Ｄで示された箇所は、それぞれ段ボール箱１９の上面，下面，対向する二側面となるのである。そして、折り曲げ部位ＥC，ＥA，ＥD，ＥBによって側面Ｅが形成され、折り曲げ部位ＦC，ＦA，ＦD，ＦBによって、側面Ｅに対向する側面Ｆが形成されて、段ボール箱１９になるのである。
【００１９】
この段ボールシート１８の側面Ｃ及びこの側面Ｃに連設されている折り曲げ部位ＥCとＦCには、二本の互いに平行な弱め線ＣWが連続して設けられている。また、側面Ｄ及びこの側面Ｄに連設されている折り曲げ部位ＥDとＦDには、二本の互いに平行な弱め線ＤWが連続して設けられている。そして、側面Ｃ及び側面Ｄの少なくともいずれか一方には、弱め線ＣW又はＤWを被覆する状態で補強用テープ６が貼合されている。補強用テープ６は、側面Ｃにのみ貼合されていてもよいし、また側面Ｃ及びこの側面Ｃに連設されている折り曲げ部位ＥC及びＦCに亙って貼合されていてもよい。同様に、補強用テープ６は、側面Ｄにのみ貼合されていてもよいし、また側面Ｄ及びこの側面に連設されている折り曲げ部位ＥD及びＦDに亙って貼合されていてもよい。更に、補強用テープ６にも、側面Ｃ及びこの側面Ｃに連設されている折り曲げ部位ＥCとＦCに設けられているのと同一の、二本の互いに平行な弱め線ＣWが設けられていてもよい。同様に、側面Ｄに補強用テープ６が貼合されている場合にも、側面Ｄ及びこの側面Ｄに連設されている折り曲げ部位ＥDとＦDに設けられているのと同一の、二本の互いに平行な弱め線ＤWが設けられていてもよい。
【００２０】
また、側面Ｃ及び側面Ｄの少なくともいずれか一方には、一対の穿孔４が設けられており、この穿孔４に手指を入れて、段ボール箱１９を片手で提げることができるようになっている。一対の穿孔４の間隔は、手指で握り易いように、３０〜３５ｍｍ程度であるのが好ましい。また、弱め線ＣW又はＤWの任意の箇所には、弱め線ＣW及びＤWを破断する際の開始端となる切り込み２が設けられている。この切り込み２に手指を入れて、弱め線ＣW及びＤWに沿って破断することによって、段ボール箱１９を開封することができるのである。なお、切り込み２を一対の穿孔４の間に設けると、穿孔４近辺の補強用テープ６にも切り込みが入り、長手方向の強度が低下し、段ボール箱１９を片手で提げたとき、段ボール紙が破れる恐れが生じる。従って、切り込み２は、一対の穿孔４の間に設けたり、或いは穿孔４の近辺に設けるのは得策でなく、穿孔４から若干離れた位置に切り込み２を設けるのが好ましい。
【００２１】
この段ボールシート１８が組み立てられると、六面体形状の段ボール箱１９を得ることができる。段ボールシート１８に設けられていた二本の互いに平行な弱め線ＣW及びＤWは、段ボール箱１９の四側面（厳密には四側面ではなく、二側面と他の二側面の半分程度）に、ほぼ連続して形成された弱め線１，１になる。また、少なくとも一側面には把持用穿孔４が形成されている。更に、把持用穿孔４が形成されている側面の裏側には補強用テープ６が貼合されている。従って、把持用穿孔４に手指を入れて、片手で段ボール箱１９を提げることができる。また、二本の互いに平行な弱め線１，１の任意の箇所に設けられた切り込み２の端縁を持って、弱め線１，１に沿って破断してゆくと、段ボール箱１９を開封することができ、段ボール箱１９の上部１９ａを取り去り、その状態で段ボール箱１９の下部１９ｂの中に収納されている缶ビールを販売することもできる。なお、段ボール箱１９に缶ビールを包装するには、段ボールシート１８を組み立てる際に同時に缶ビールを包装するのが一般的である。
【００２２】
なお、以上主として、本発明に係る段ボール箱に缶ビールが包装される場合を中心にして説明したが、本発明に係る段ボール箱は、ジュース，清涼飲料水，水，牛乳，乳酸飲料等のどのような飲料水を包装する場合にも使用でき、また飲料水の収納形態も缶入りだけでなく瓶入り，紙パック入り，プラスチックボトル入り等のどのような収納形態の場合にも使用できるものである。更にまた、飲料水だけでなく、薬品，果実，食料品，その他家庭用品や産業用品等のどのような商品を包装する場合にも使用しうるものである。また、本発明で言う「段ボール」とは、表紙と中芯紙と裏紙とで構成されるものに限られず、比較的厚手で若干のクッション性があり、各種商品の包装に用いられるものであれば、その構成や素材等はどのようなものであっても差し支えない。
【００２３】
【作用】
本発明において使用する補強用テープは、その素材として特殊なものを採用したから、長手方向の引張強度（Ｔ2）が巾方向の引張強度（Ｔ1）に比べて、高くなっている。即ち、長手方向への引張に対しては高強力を示すが、巾方向への引張に対しては極めて低強力のため、長手方向へは極めて引き裂きやすいものである。
【００２４】
【発明の効果】
従って、この補強用テープを、把持用穿孔が設けられている段ボール箱の側面の裏側に貼合しておくと、把持用穿孔に手指を入れて段ボール箱を提げた場合、当該側面の長手方向に段ボール箱の全重量が負荷されても、補強用テープの長手方向の引張強度（Ｔ2）が高いため、当該側面の破断を防止することができる。一方、この補強用テープは長手方向へは極めて引き裂きやすいものであるため、当該側面に開封用弱め線を設けておけば、この弱め線に沿って、段ボール紙と共に補強用テープも容易に破ることができる。
【００２５】
依って、缶ビール等が包装された段ボール箱の側面に把持用穿孔と開封用弱め線を設け、且つこの側面の裏側に補強用テープを貼合した本発明に係る段ボール箱を使用すれば、缶ビール等を販売する場合、次の二通りの販売形態を任意に採用することができる。即ち、最終消費者が段ボール箱に包装された缶ビール等を全部所望する場合には、段ボール箱ごと缶ビール等を販売し、最終消費者は把持用穿孔に手指を入れて、片手で段ボール箱を持ち運びでき、一方、最終消費者が段ボール箱に包装された缶ビール等を全部所望せず、数本所望する場合には、開封用弱め線に沿って段ボール箱を開封し、段ボール箱の上部を取り去ることによって、最終消費者は所望の本数だけ購入することができるのである。
【図面の簡単な説明】
【図１】弱め線によって開封するタイプの従来例に係る段ボール箱の斜視図である。
【図２】把持用穿孔によって片手で持ち運びできるタイプの従来例に係る段ボール箱の斜視図である。
【図３】本発明の一例に係る裏張りテープの斜視図である。
【図４】図３に示した裏張りテープの横断面図である。
【図５】本発明の一例に係る段ボールシートを製造する工程の一部を示した概略図である。
【図６】本発明の一例に係る段ボールシートの裏面図である。
【図７】本発明の一例に係る段ボール箱の斜視図である。
【符号の説明】
１        弱め線
２        切り込み
３ａ      段ボール箱の上部
３ｂ      段ボール箱の下部
４        一対の把持用穿孔
５        裏張りテープ
６        補強用テープ
７        接着剤
１０      表紙
１１      中芯紙
１２      裏紙
１３      接着剤溶液
１５      乾燥機
１６      積層体
１７      段ボール紙
１８      段ボールシート
１９      段ボール箱
Ａ        段ボール箱の上面
Ｂ        段ボール箱の下面
Ｃ        段ボール箱の側面
Ｄ        側面Ｃに対向する段ボール箱の側面
Ｅ        段ボール箱の他の側面
Ｆ        側面Ｅに対向する段ボール箱の側面
ＣW       Ｃ側面に設けられた弱め線
ＤW       Ｄ側面に設けられた弱め線
【図１】
0003765062.tif 000002
【図２】
0003765062.tif 000003
【図３】
0003765062.tif 000004
【図４】
0003765062.tif 000005
【図５】
0003765062.tif 000006
【図６】
0003765062.tif 000007
【図７】
0003765062.tif 000008